(57)【要約】【課題】キー型照明構造の提供。【解決手段】キー型照明構造の提案である。主に本体、固定部が含まれている。当該本体の先頭部に細長い開け孔を設け、開け孔の片側に発光部品が設けられている。また、本体の中に並列しているボタンバッテリーを設置している。当該バッテリーを接続端子とつなげるほかに、本体の上部に押し部を設けている。なお、前記固定部はやや本体の開け孔より寸法が小さく設計されているため、キーの後部を差し込込んでから固定することができる。つまり、使用するとき、固定部を本体の開け孔に嵌め合わせ、カギを開ける同時に押し部を押し、その連動で接続端子はバッテリー及び発光部品を起動する。この仕組みで、鎖部を照明する上に、闇の中でロックを開けることができる。【選択図】図３
0003132171.tif 000002
【実用新案登録請求の範囲】
【請求項１】
本体、スライダー、固定部を含み、
該本体は先頭部に細長い開け孔が設けられ、当該開け孔の片側に発光部品が設置され、後部にレールを設け、その内部にバッテリー槽を設け、前記バッテリー槽の前部および後部にそれぞれ正極端子および負極端子が設置され、また、正極端子は上に向いて適切な高さに伸び、バッテリー槽の後部に宙ぶらりん状態の接続端子が設置され、当該負極端子および接続端子をそれぞれ発光部品に接続させ、
該スライダーは底部にレールを設置し、本体のスロットにスライドし、本体の後部に固定することに供し、その表面に押し部が設けられ、
該固定部は上蓋および下蓋を設け、また、それぞれ前記上蓋および下蓋にフックを設置し、キーを装着することに供し、
前記パーツを組合せにより、キー型の照明構造を構成し、固定部を本体の開け孔に嵌め合わせ、カギを開けるときに、本体のスライダーの押し部を押し、その中の接続端子は正極端子と接触し、ボタンバッテリーおよび発光部品を起動させ、この仕組みで、当該発光部品はキーホールを照明することができることを特徴とするキー型照明構造。
【請求項２】
当該スライダーの押し部は、その表面に半丸の形で切られた後に形成した弾力のある端子であり、下押しや下押した後の位置復帰を行えることを特徴とする請求項１に記載のキー型照明構造。
【考案の詳細な説明】
【技術分野】
【０００１】
本考案はキー型照明構造を提案している。特にカギを開けるときに、ロック部を照明して、闇の中でロックを開ける構造を指している。
【背景技術】
【０００２】
一般のロックは細長で、キーホールに合わせることまたは携帯上の利便性を配慮しているために従来のキー構造は細長い形に設計されている。この形では、照明性のよいところや昼間には、ロックを開ける動きは何にも影響されない。但しロック部は照明不足のところまたは完全なる闇のところに設置されている場合、いかにキーを正しくキーホールの中に差し込んでロックを開けるのは、非常に不便である。とりわけ、年寄りや視力低下の使用者にとっては非常に不便をかけている。この場合ほかの照明道具を利用してキーホールを照らすことができるが、操作性がよくないため、改善する必要性がある。
【考案の開示】
【考案が解決しようとする課題】
【０００３】
本考案の主要目的はキー型の照明構造の提案である。キーホールを照明してカギをうまく開けるように改善したいからである。
前述のキー型照明構造は本体および固定部が含まれている。また、本体の先頭部に細長い明け孔が設けられていて、開け孔の片側に発光部品が設置されている。本体の内部に並列しているボタンバッテリーを設置している。当該ボタンバッテリーを接続端子とつなげるほかに、本体の上部に押し部を設けている。なお、前記固定部はやや本体の開け孔より寸法が小さく設計されているため、キーの後部を差し込んでから固定することができる。つまり、使用するとき、固定部を本体の開け孔に嵌め合わせ、同時に押し部を押し、その連動で接続端子はバッテリー及び発光部品を起動する。この仕組みで、キーホールを照明することができる。
【０００４】
前記のキー型照明構造の本体にバッテリー槽が設けられている。当該バッテリー槽の前後に正極端子および負極端子を設置する。その中の負極端子が発光部品と接続、負極端子はボタンバッテリーより高く設置されている。その上に、バッテリー槽の後部に発光部品と接続する宙ぶらりん状態の接続端子がある。前記本体の上部にスライダーが設けられていて、当該スライダーの上に半丸の形に切られてつくられた押し部が設置されている。この仕組みで、押し部を押すと、接続端子は正極端子と接触し、発光部品を起動する。
【０００５】
前記のキー型照明構造の固定部は上蓋と下蓋の間に設置されている。また、それぞれ上蓋および下蓋に対応するフックが設けられているため、キー後部の上部および下部は両面テープを接着してから下蓋に固定される。また、上蓋および下蓋のフックが引き締め固定されることができる。
【課題を解決するための手段】
【０００６】
請求項１の考案は、本体、スライダー、固定部を含み、
該本体は先頭部に細長い開け孔が設けられ、当該開け孔の片側に発光部品が設置され、後部にレールを設け、その内部にバッテリー槽を設け、前記バッテリー槽の前部および後部にそれぞれ正極端子および負極端子が設置され、また、正極端子は上に向いて適切な高さに伸び、バッテリー槽の後部に宙ぶらりん状態の接続端子が設置され、当該負極端子および接続端子をそれぞれ発光部品に接続させ、
該スライダーは底部にレールを設置し、本体のスロットにスライドし、本体の後部に固定することに供し、その表面に押し部が設けられ、
該固定部は上蓋および下蓋を設け、また、それぞれ前記上蓋および下蓋にフックを設置し、キーを装着することに供し、
前記パーツを組合せにより、キー型の照明構造を構成し、固定部を本体の開け孔に嵌め合わせ、カギを開けるときに、本体のスライダーの押し部を押し、その中の接続端子は正極端子と接触し、ボタンバッテリーおよび発光部品を起動させ、この仕組みで、当該発光部品はキーホールを照明することができることを特徴とするキー型照明構造としている。
請求項２の考案は、当該スライダーの押し部は、その表面に半丸の形で切られた後に形成した弾力のある端子であり、下押しや下押した後の位置復帰を行えることを特徴とする請求項１に記載のキー型照明構造としている。
【考案の効果】
【０００７】
キー型照明構造の提案である。主に本体、固定部が含まれている。当該本体の先頭部に細長い開け孔を設け、開け孔の片側に発光部品が設けられている。また、本体の中に並列しているボタンバッテリーを設置している。当該バッテリーを接続端子とつなげるほかに、本体の上部に押し部を設けている。なお、前記固定部はやや本体の開け孔より寸法が小さく設計されているため、キーの後部を差し込込んでから固定することができる。つまり、使用するとき、固定部を本体の開け孔に嵌め合わせ、カギを開けると同時に押し部を押し、その連動で接続端子はバッテリー及び発光部品を起動する。この仕組みで、鎖部を照明する上に、闇の中でロックを開けることができる。
【考案を実施するための最良の形態】
【０００８】
同時に図１および図２を参照すること。本考案は主に本体1および固定部2が含まれている。その中の本体1の先頭側に細長い開け孔11が設けられていて、開け孔11の片側に発光部品12が設置されている。本体1の後部にスロット13が設けられていて、スライダー14がこれによって結合されることが可能である。なお、本体1の内部にバッテリー槽15があり、当該バッテリー槽15の前部及び後部はそれぞれ正極端子151および負極端子152と接続されている。その中の正極端子151は上に向いて一定の高さに伸び出している。また、バッテリー槽15の後部に宙ぶらりん状態の接続端子16があり、負極端子152および接続端子16はそれぞれ発光部品12と接続している。
【０００９】
前記スライダー14は底部にレール141を設置しているため、本体のスロット13を沿って嵌め合わせて固定することができる。スライダー14の表面に半丸の形に切られて作られ、浮んでいる押し部142が設けられている。
【００１０】
前記発光部品12は発光ダイオードまたは小さなランプである。
前記固定部2は上蓋21および下蓋22により構成されている。それぞれ上蓋21および下蓋22に対応するフック211、221が設けられている。キー3を両面テープ4に接着してから、キー3の後部を下蓋2に嵌め合わせ、上蓋21および下蓋22はフック211、221と接続して固定される。
【００１１】
前記パーツを組み合わせてから、キー型照明構造になる。言い換えると、本体1のバッテリー槽15の中に並列しているボタンバッテリー5を装着してから、スライダー14を覆う。使用するときに、固定部2を本体1の開け孔11に嵌め合わせ、押し部142を押すと、中の接続端子16は正極端子151と接触してから、ボタンバッテリー5および発光部品12を起動する。前記発光部品12はキーホールを照明して、照明不足のところまたは闇の中でカギを開けることができる。
【００１２】
図３を参照すること。本考案を使用するときに、キー3を設置している固定部2を本体1の開け孔11に沿って嵌めると、固定部2は本体1に固定される。これで、本体1および固定部2は一体化され、キー3のギザギザ部分を先頭から露出して、より便利にカギを開けることができる。
【００１３】
図４が示しているように、カギを開けるときに、本考案は同時に本体1の押し部142を押して本体1の先頭の発光部品12を起動して照明し始まる。キーホールを照明すると、本体1の先頭のキーは正確にキーホールに差し込むことができ、照明不足や闇などに影響されることなく、より順調にカギを開けることができる。
【００１４】
図５を参照すること。本考案の本体1の押し部142は宙ぶらりん状態の薄板であり、適切な弾力性を持つ。使用するときに、それを押せば接続端子16を抑えることができ、その連動で接続端子16は正極端子151と接触し、正極電圧は接続端子16を通して発光部品12まで伝える。使用しないとき、押し部142は弾力があるため、自然に元の位置に戻る。
【図面の簡単な説明】
【００１５】
【図１】本考案の本体立体解体図。
【図２】本考案の固定部の立体解体図。
【図３】本考案の立体図。
【図４】本考案の実施例図。
【図５】本考案の押し動作の実施例図。
【符号の説明】
【００１６】
1  本体
11  開け孔
12  発光部品
13  スロット
14  スライダー
141  レール
142  押し部
15  バッテリー槽
151  正極端子
152  負極端子
16  接続端子
2  固定部
21  上蓋
211  フック
22  下蓋
221  フック
3  キー
4  両面テープ
5  ボタンバッテリー
【図１】
0003132171.tif 000003
【図２】
0003132171.tif 000004
【図３】
0003132171.tif 000005
【図４】
0003132171.tif 000006
【図５】
0003132171.tif 000007